(57)【要約】【課題】第１及び第２電源線の少なくとも一方から供給される電力により駆動する制御部を備える電池パックにおいて、第２電源線の断線を検知する。【解決手段】リレーＲｅを介して補機バッテリＢａｍに接続される第１電源線Ｌ１と、補機バッテリＢａｍに接続される第２電源線Ｌ２と、第１電源線Ｌ１及び第２電源線Ｌ２の少なくとも一方から供給される電力により駆動し、リレーＲｅのオン回数Ｃｏｎをカウントアップし、リレーＲｅがオフしたか否かを判断する制御部６と、不揮発性メモリ４とを備えて電池パック１を構成し、制御部６は、不揮発性メモリ４に記憶されたオン回数ＣｏｎとリレーＲｅがオフしたことに基づいて、第２電源線Ｌ２が断線しているか否かを検知する。【選択図】図１
2020112377.tif 000002
【特許請求の範囲】
【請求項１】
車両に搭載される電池パックであって、
前記車両の稼働が開始するとまたは当該電池パックの充電が開始するとオンし前記車両の稼働が終了するとまたは当該電池パックの充電が終了するとオフするリレーを介して前記車両に搭載される補機バッテリに接続される第１電源線と、
前記補機バッテリに接続される第２電源線と、
前記第１及び第２電源線が接続され、前記第１及び第２電源線の少なくとも一方から供給される電力により駆動し、前記リレーがオンしたと判断するとオン回数をカウントアップすると共に、前記リレーがオフしたか否かを判断する制御部と、
前記オン回数を記憶すると共に、前記電力が供給されなくとも前記オン回数を保持する不揮発性メモリと、
を備え、
前記制御部は、前記不揮発性メモリに記憶された前記オン回数と前記リレーがオフしたことに基づいて、前記第２電源線が断線しているか否かを検知する
を備える電池パック。
【請求項２】
請求項１に記載の電池パックであって、
前記制御部は、前記リレーがオフしたと判断するとオフ回数をカウントアップし、
前記不揮発性メモリは、前記オフ回数を記憶すると共に、前記電力が供給されなくとも前記オフ回数を保持し、
前記制御部は、前記不揮発性メモリに記憶されているオン回数とオフ回数との差が閾値以上である場合、前記第２電源線が断線していることを検知する
ことを特徴とする電池パック。
【請求項３】
請求項１に記載の電池パックであって、
前記制御部は、前記リレーがオフしたと判断すると、前記不揮発性メモリに記憶されているオン回数をリセットし、前記不揮発性メモリに記憶されているオン回数が閾値以上である場合、前記第２電源線が断線していることを検知する
ことを特徴とする電池パック。
【請求項４】
請求項１〜３の何れか１項に記載の電池パックであって、
前記電力が瞬断した際に前記制御部への電力供給を行う瞬断防止用コンデンサを備え、
前記制御部は、前記瞬断防止用コンデンサの電荷が抜けた後に前記リレーがオフしたか否かを判断する
ことを特徴とする電池パック。
【請求項５】
車両の稼働が開始するとまたは当該電池パックの充電が開始するとオンし前記車両の稼働が終了するとまたは当該電池パックの充電が終了するとオフするリレーを介して前記車両に搭載される補機バッテリに接続される第１電源線と、前記補機バッテリに接続される第２電源線と、前記第１及び第２電源線が接続され、前記第１及び第２電源線の少なくとも一方から供給される電力により駆動し、前記リレーがオンしたと判断するとオン回数をカウントアップし、前記リレーがオフしたか否かを判断する制御部と、前記オン回数を記憶すると共に、前記電力が供給されなくとも前記オン回数を保持する不揮発性メモリとを備える電池パックにおいて、前記第２電源戦の断線を検知する断線検知方法であって、
前記制御部は、前記不揮発性メモリに記憶された前記オン回数と前記リレーがオフしたことに基づいて、前記第２電源線が断線しているか否かを検知する
ことを特徴とする断線検知方法。
【発明の詳細な説明】
【技術分野】
【０００１】
本発明は、車両に搭載される電池パックに関する。
【背景技術】
【０００２】
電池パックとして、車両の稼働が開始するとまたは電池パックの充電が開始するとオンし車両の稼働が終了するとまたは電池パックの充電が終了するとオフするリレーを介して車両に搭載される補機バッテリに接続される第１電源線と、補機バッテリに接続される第２電源線と、第１及び第２電源線の少なくとも一方から供給される電力により駆動する制御部とを備えるものがある。
【０００３】
関連する技術として、例えば、特許文献１がある。
【先行技術文献】
【特許文献】
【０００４】
【特許文献１】特開２００２−３５４７０３号公報
【発明の概要】
【発明が解決しようとする課題】
【０００５】
しかしながら、上記電池パックでは、第２電源線が断線した場合、リレーがオフすると、制御部に電力が供給されなくなり、制御部が停止するため、制御部が所定の処理（直列に接続される複数の電池のそれぞれの電圧を均等化する処理など）を行うことができないという懸念がある。そのため、第２電源線の断線を検知し、その旨をユーザに知らせて第２電源線の修理を促す必要がある。
【０００６】
本発明の一側面に係る目的は、第１及び第２電源線の少なくとも一方から供給される電力により駆動する制御部を備える電池パックにおいて、第２電源線の断線を電池パック自身で検知することである。
【課題を解決するための手段】
【０００７】
本発明に係る一つの形態である電池パックは、車両に搭載される電池パックであって、車両の稼働が開始するとまたは電池パックの充電が開始するとオンし車両の稼働が終了するとまたは電池パックの充電が終了するとオフするリレーを介して車両に搭載される補機バッテリに接続される第１電源線と、補機バッテリに接続される第２電源線と、前記第１及び第２電源線が接続され、第１及び第２電源線の少なくとも一方から供給される電力により駆動し、リレーのオン回数をカウントアップし、リレーがオフしたか否かを判断する制御部と、オン回数を記憶すると共に、電力が供給されなくともオン回数を保持する不揮発性メモリとを備え、制御部は、不揮発性メモリに記憶されたオン回数とリレーがオフしたことに基づいて、第２電源線が断線しているか否かを検知する。
【０００８】
第２電源線が断線している場合、リレーがオフすると、制御部に電力が供給されなくなり制御部が停止するため、オフ回数をカウントアップさせることができない。そのため、第２電源線が断線している場合、リレーがオン、オフを繰り返すと、オン回数のみが増加するため、オン回数とオフ回数との差が増加する。これにより、オン回数とオフ回数との差が閾値以上である場合、第２電源線が断線していることを検知することができる。または、第２電源線が断線している場合、リレーがオフすると、制御部に電力が供給されなくなり制御部が停止するため、リレーのオフ時にオン回数をリセットさせることができない。そのため、第２電源線が断線している場合、リレーがオン、オフを繰り返すと、オン回数が増加する。これにより、オン回数が閾値以上である場合、第２電源線が断線していることを検知することができる。すなわち、本発明に係る一つの形態である電池パックは、第２電源線の断線を検知することができる。
【０００９】
また、制御部は、電力が瞬断した際に制御部への電力供給を行う瞬断防止用コンデンサの電荷が抜けた後にリレーがオフしたか否かを判断してもよい。
【００１０】
これにより、第２電源線が断線しているときで、かつ、リレーがオフしたとき、制御部を停止させることができるので、オフ回数をカウントアップさせないようにすることができる、または、オン回数をリセットさせないようにすることができる。そのため、第２電源線が断線しているにもかかわらず第２電源線が断線していないと誤検知することを低減することができる。
【発明の効果】
【００１１】
本発明によれば、第１及び第２電源線の少なくとも一方から供給される電力により駆動する制御部を備える電池パックにおいて、第２電源線の断線を検知することができる。
【図面の簡単な説明】
【００１２】
【図１】実施形態の電池パックの一例を示す図である。
【図２】制御部の動作の一例を示すフローチャートである。
【図３】オン回数、オフ回数、及びオン回数とオフ回数との差のタイミングチャートである。
【図４】制御部の動作の他の例を示すフローチャートである。
【図５】オン回数のタイミングチャートである。
【発明を実施するための形態】
【００１３】
以下図面に基づいて実施形態について詳細を説明する。
図１は、実施形態の電池パックの一例を示す図である。
【００１４】
図１に示す電池パック１は、ハイブリッド車や電気自動車などの車両Ｖｅに搭載され、走行用モータを駆動するインバータ回路などの負荷Ｌｏに電力を供給する。なお、車両Ｖｅは、電池パック１や負荷Ｌｏの他に、リレーＲｅと、補機バッテリＢａｍとを備える。リレーＲｅは、半導体リレーまたは電磁式リレーなどにより構成され、車両Ｖｅのイグニッションがオンすることなどにより車両Ｖｅの稼働が開始するとまたは電池パック１の充電が開始するとオンし、車両Ｖｅのイグニッションがオフすることなどにより車両Ｖｅの稼働が終了するとまたは電池パック１の充電が終了するとオフする。補機バッテリＢａｍは、鉛蓄電池などにより構成される。
【００１５】
また、電池パック１は、メインバッテリＢｍと、監視部２と、電池ＥＣＵ（Electronic Control Unit）３とを備える。
【００１６】
メインバッテリＢｍは、直列に接続される複数の電池（リチウムイオン電池またはニッケル水素電池など）により構成される。
【００１７】
監視部２は、ＩＣ（Integrated Circuit）などにより構成され、メインバッテリＢｍの電圧などを監視し、その監視結果を電池ＥＣＵ３に送信する。
【００１８】
電池ＥＣＵ３は、不揮発性メモリ４、電源５と、ダイオードＤ１、Ｄ２と、制御部６とを備える。
【００１９】
不揮発性メモリ４は、フラッシュメモリまたはＥＥＰＲＯＭ（Electrically Erasable Programmable Read Only Memory）などにより構成され、後述するオン回数Ｃｏｎ及びオフ回数Ｃｏｆｆなどの情報を記憶する。なお、不揮発性メモリ４は、電源５などから供給される電力により駆動するものとする。また、不揮発性メモリ４は、電力が供給されなくとも記憶した情報を保持するものとする。
【００２０】
電源５は、補機バッテリＢａｍから供給される電力を制御部６に供給するものであって、レギュレータ（例えば、ＬＤＯ（Low Drop Out））７と、瞬断防止用コンデンサＣ１と、平滑コンデンサＣ２と、ダイオードＤ３とを備える。レギュレータ７の入力端子は、瞬断防止用コンデンサＣ１の一方の端子及びダイオードＤ３のカソード端子に接続され、レギュレータ７の出力端子は、平滑コンデンサＣ２の一方の端子、ダイオードＤ３のアノード端子、及び制御部６の電源端子に接続されている。瞬断防止用コンデンサＣ１の他方の端子及び平滑コンデンサＣ２の他方の端子はグランドに接続されている。なお、電源５の回路構成は、図１に示す回路構成に限定されない。
【００２１】
また、電源５は、第１電源線Ｌ１及び第２電源線Ｌ２を介して補機バッテリＢａｍに接続されている。すなわち、第１電源線Ｌ１の一方端はリレーＲｅを介して第２電源線Ｌ２の一方端に接続され、第１電源線Ｌ１の他方端はダイオードＤ１を介して第２電源線Ｌ２の他方端に接続されている。第１電源線Ｌ１の一方端と第２電源線Ｌ２の一方端との接続点ｐ１は補機バッテリＢａｍのプラス端子に接続され、第１電源線Ｌ１の他方端と第２電源線Ｌ２の他方端との接続点ｐ２はレギュレータ７の入力端子に接続されている。ダイオードＤ１のアノード端子がリレーＲｅに接続され、ダイオードＤ１のカソード端子が接続点ｐ２に接続されている。ダイオードＤ２のアノード端子が接続点ｐ１に接続され、ダイオードＤ２のカソード端子が接続点ｐ２に接続されている。
【００２２】
このように構成される第１電源線Ｌ１、第２電源線Ｌ２、及びリレーＲｅにおいて、第２電源線Ｌ２が断線していないときで、かつ、リレーＲｅがオフしているとき、補機バッテリＢａｍから第２電源線Ｌ２を介して電源５に電力が供給される。また、第２電源線Ｌ２が断線していないときで、かつ、リレーＲｅがオンしているとき、補機バッテリＢａｍから第１電源線Ｌ１及び第２電源線Ｌ２を介して電源５に電力が供給される。また、第２電源線Ｌ２が断線しているときで、かつ、リレーＲｅがオンしているとき、補機バッテリＢａｍから第１電源線Ｌ１を介して電源５に電力が供給される。すなわち、第２電源線Ｌ２が断線していないときやリレーＲｅがオンしているとき、補機バッテリＢａｍから第１電源線Ｌ１及び第２電源線Ｌ２の少なくとも一方を介して電源５に電力が供給される。そして、電源５は、第１電源線Ｌ１及び第２電源線Ｌ２の少なくとも一方から供給される電力を制御部６に供給する。なお、第２電源線Ｌ２が断線しているときとは、第２電源線Ｌ２の抵抗値が上昇している状態などを含むものとする。
【００２３】
一方、第２電源線Ｌ２が断線しているときで、かつ、リレーＲｅがオフしているとき、補機バッテリＢａｍから電源５に電力が供給されず、電源５から制御部６に電力が供給されないため、制御部６が停止する。
【００２４】
制御部６は、ＣＰＵ（Central Processing Unit）、マルチコアＣＰＵ、またはプログラマブルなデバイス（ＦＰＧＡ（Field Programmable Gate Array）やＰＬＤ（Programmable Logic Device））などにより構成され、第１電源線Ｌ１及び第２電源線Ｌ２の少なくとも一方から電力が供給されているとき、各種処理を行う。
【００２５】
例えば、制御部６は、監視部２から送信される監視結果を用いてメインバッテリＢｍを構成する複数の電池のそれぞれの電圧の均等化を行う。
【００２６】
また、制御部６は、第１電源線Ｌ１の電圧が所定電圧Ｖ１より大きくなると、リレーＲｅがオンしたと判断し、第１電源線Ｌ１の電圧が所定電圧Ｖ２以下になると、リレーＲｅがオフしたと判断する。なお、所定電圧Ｖ１≧所定電圧Ｖ２とする。
【００２７】
また、制御部６は、リレーＲｅがオンしたと判断するとオン回数Ｃｏｎをカウントアップすると共に、リレーＲｅがオフしたか否かを判断する。
【００２８】
また、制御部６は、オン回数ＣｏｎとリレーＲｅがオフしたことに基づいて、第２電源線Ｌ２が断線しているか否かを検知する。
【００２９】
例えば、制御部６は、リレーＲｅがオンしたと判断するとオン回数Ｃｏｎをカウントアップし、リレーＲｅがオフしたと判断するとオフ回数Ｃｏｆｆをカウントアップし、オン回数Ｃｏｎとオフ回数Ｃｏｆｆとの差Ｃｄが閾値Ｃｄｔｈ以上である場合、第２電源線Ｌ２が断線していることを検知する。このように、オン回数Ｃｏｎをカウントアップする機能と、オフ回数Ｃｏｆｆをカウントアップする機能と、差Ｃｄと閾値Ｃｄｔｈとを比較する機能とを制御部６に設けるだけで、第２電源線Ｌ２が断線しているか否かを容易に検知することができる。
【００３０】
または、制御部６は、リレーＲｅがオンしたと判断するとオン回数Ｃｏｎをカウントアップし、リレーＲｅがオフしたと判断するとオン回数Ｃｏｎをリセットし、オン回数Ｃｏｎが閾値Ｃｏｎｔｈ以上である場合、第２電源線Ｌ２が断線していることを検知する。このように、オン回数Ｃｏｎをカウントアップする機能と、オン回数Ｃｏｎをリセットする機能と、オン回数Ｃｏｎと閾値Ｃｏｎｔｈとを比較する機能を制御部６に設けるだけで、第２電源線Ｌ２が断線しているか否かを容易に検知することができる。
【００３１】
図２は、制御部６の動作の一例を示すフローチャートである。
まず、制御部６は、リレーＲｅがオンしたと判断すると（ステップＳ１：Ｙｅｓ）、オン回数Ｃｏｎをカウントアップし、そのオン回数Ｃｏｎを不揮発性メモリ４に記憶させる（ステップＳ２）。
【００３２】
次に、制御部６は、不揮発性メモリ４に記憶されているオン回数Ｃｏｎとオフ回数Ｃｏｆｆとの差Ｃｄを求め（ステップＳ３）、その差Ｃｄが閾値Ｃｄｔｈより小さいと判断すると（ステップＳ４：Ｎｏ）、リレーＲｅがオフしたか否かを判断する（ステップＳ５）。なお、差Ｃｄは、不揮発性メモリ４に記憶されるものとする。
【００３３】
次に、制御部６は、リレーＲｅがオフしていないと判断すると（ステップＳ５：Ｎｏ）、リレーＲｅがオフしたと判断するまで待機し、リレーＲｅがオフしたと判断すると（ステップＳ５：Ｙｅｓ）、瞬断防止用コンデンサＣ１から全ての電荷が抜けたか否かを判断する（ステップＳ６）。
【００３４】
次に、制御部６は、瞬断防止用コンデンサＣ１から全ての電荷が抜けたと判断するまで待機し（ステップＳ６：Ｎｏ）、瞬断防止用コンデンサＣ１から全ての電荷が抜けたと判断すると（ステップＳ６：Ｙｅｓ）、リレーＲｅのオフ回数Ｃｏｆｆをカウントアップし、そのオフ回数Ｃｏｆｆを不揮発性メモリ４に記憶させ（ステップＳ７）、ステップＳ１に戻る。例えば、制御部６は、リレーがオフしたと判断してから一定時間経過すると、瞬断防止用コンデンサＣ１から全ての電荷が抜けたと判断する。一定時間は、例えば、第１電源線Ｌ１及び第２電源線Ｌ２からの電源供給が停止してから瞬断防止用コンデンサＣ１の電荷が全て抜けるまでにかかる時間とする。このように、瞬断防止用コンデンサＣ１から全ての電荷が抜けた後、リレーＲｅのオフ回数Ｃｏｆｆをカウントアップすることにより、第２電源線Ｌ２が断線しているときで、かつ、リレーＲｅがオフしたとき、制御部６を停止させることができるので、オフ回数Ｃｏｆｆをカウントアップさせないようにすることができる。そのため、第２電源線Ｌ２が断線しているにもかかわらず第２電源線Ｌ２が断線していないと誤検知することを低減することができる。
【００３５】
また、制御部６は、不揮発性メモリ４に記憶されているオン回数Ｃｏｎとオフ回数Ｃｏｆｆとの差Ｃｄが閾値Ｃｄｔｈ以上であると（ステップＳ４：Ｙｅｓ）、第２電源線Ｌ２が断線していることを検知する（ステップＳ８）。なお、閾値Ｃｄｔｈは、例えば、２以上の値とする。また、閾値Ｃｄｔｈを３以上の値とする場合は、第２電源線Ｌ２が不連続的に断線する場合、すなわち、第２電源線Ｌ２が断線したりしなかったりが交互に繰り返される場合であっても、制御部６により第２電源線Ｌ２が断線していることを検知することができる。また、閾値Ｃｄｔｈを３以上の値とする場合は、第２電源線Ｌ２が断線していないにもかかわらずノイズなどの影響によりオフ回数Ｃｏｆｆをカウントアップすることができず、第２電源線Ｌ２が断線していると誤検知することを低減することができる。
【００３６】
図３（ａ）は、第２電源線Ｌ２が断線していない場合で、かつ、リレーＲｅがオン、オフを２回繰り返す場合のオン回数Ｃｏｎ、オフ回数Ｃｏｆｆ、及び差Ｃｄのタイミングチャートである。なお、オン回数Ｃｏｎ、オフ回数Ｃｏｆｆ、及び差Ｃｄのそれぞれの初期値を「０」とする。また、閾値Ｃｄｔｈを「２」とする。
【００３７】
まず、リレーＲｅがオンすると、制御部６は、オン回数Ｃｏｎをカウントアップすることでオン回数Ｃｏｎを「０」から「１」にし、差Ｃｄとして「１＝１−０」を求め、差Ｃｄ（「１」）が閾値Ｃｄｔｈ（「２」）より小さいと判断し、第２電源線Ｌ２が断線していないことを検知する。
【００３８】
次に、リレーＲｅがオフすると、制御部６は、オフ回数Ｃｏｆｆをカウントアップすることでオフ回数Ｃｏｆｆを「０」から「１」にする。
【００３９】
次に、リレーＲｅがオンすると、制御部６は、オン回数Ｃｏｎをカウントアップすることでオン回数Ｃｏｎを「１」から「２」にし、差Ｃｄとして「１＝２−１」を求め、差Ｃｄ（「１」）が閾値Ｃｄｔｈ（「２」）より小さいと判断し、第２電源線Ｌ２が断線していないことを検知する。
【００４０】
そして、リレーＲｅがオフすると、制御部６は、オフ回数Ｃｏｆｆをカウントアップすることでオフ回数Ｃｏｆｆを「１」から「２」にする。
【００４１】
図３（ｂ）は、第２電源線Ｌ２が断線している場合で、かつ、リレーＲｅがオン、オフを２回繰り返す場合のオン回数Ｃｏｎ、オフ回数Ｃｏｆｆ、及び差Ｃｄのタイミングチャートである。なお、オン回数Ｃｏｎ、オフ回数Ｃｏｆｆ、及び差Ｃｄのそれぞれの初期値を「０」とする。また、閾値Ｃｄｔｈを「２」とする。
【００４２】
まず、リレーＲｅがオンすると、制御部６は、オン回数Ｃｏｎをカウントアップすることでオン回数Ｃｏｎを「０」から「１」にし、差Ｃｄとして「１＝１−０」を求め、差Ｃｄ（「１」）が閾値Ｃｄｔｈ（「２」）より小さいと判断し、第２電源線Ｌ２が断線していないことを検知する。
【００４３】
次に、リレーＲｅがオフすると、第１電源線Ｌ１及び第２電源線Ｌ２から制御部６に電力が供給されなくなり制御部６が停止するため、オフ回数Ｃｏｆｆがカウントアップされない。すなわち、オフ回数Ｃｏｆｆが「０」のままである。
【００４４】
そして、リレーＲｅがオンすると、制御部６は、オン回数Ｃｏｎをカウントアップすることでオン回数Ｃｏｎを「１」から「２」にし、差Ｃｄとして「２＝２−０」を求め、差Ｃｄ（「２」）が閾値Ｃｄｔｈ（「２」）以上であると判断し、第２電源線Ｌ２が断線していることを検知する。
【００４５】
図４は、制御部６の動作の他の例を示すフローチャートである。
図４に示すフローチャートにおいて、図２に示すフローチャートと異なる点は、オン回数Ｃｏｎをカウントアップした後（ステップＳ２）、ステップＳ４´において、オン回数Ｃｏｎが閾値Ｃｏｎｔｈ以上であるか否かを判断する点と、瞬断防止用コンデンサＣ１から全ての電荷が抜けたと判断した後（ステップＳ６：Ｙｅｓ）、ステップＳ７´において、オン回数Ｃｏｎをリセットする（オン回数Ｃｏｎを初期値に戻す）点である。なお、制御部６は、オン回数Ｃｏｎをリセットした後、ステップＳ１に戻るものとする。また、図４に示すステップＳ１、Ｓ２、Ｓ５、Ｓ６、Ｓ８は、図２に示すステップＳ１、Ｓ２、Ｓ５、Ｓ６、Ｓ８と同様であるため、その説明を省略する。また、閾値Ｃｏｎｔｈは、例えば、２以上の値とする。また、閾値Ｃｏｎｔｈを３以上の値とする場合は、第２電源線Ｌ２が断線していないにもかかわらずノイズなどの影響によりオン回数Ｃｏｎをリセットすることができず、第２電源線Ｌ２が断線していると誤検知することを低減することができる。
【００４６】
図５（ａ）は、第２電源線Ｌ２が断線していない場合で、かつ、リレーＲｅがオン、オフを２回繰り返す場合のオン回数Ｃｏｎのタイミングチャートである。なお、オン回数Ｃｏｎの初期値を「０」とする。また、閾値Ｃｏｎｔｈを「２」とする。
【００４７】
まず、リレーＲｅがオンすると、制御部６は、オン回数Ｃｏｎをカウントアップすることでオン回数Ｃｏｎを「０」から「１」にし、オン回数Ｃｏｎ（「１」）が閾値Ｃｏｎｔｈ（「２」）より小さいと判断し、第２電源線Ｌ２が断線していないことを検知する。
【００４８】
次に、リレーＲｅがオフすると、制御部６は、オン回数Ｃｏｎをリセットすることでオン回数Ｃｏｎを「１」から「０」にする。
【００４９】
次に、リレーＲｅがオンすると、制御部６は、オン回数Ｃｏｎをカウントアップすることでオン回数Ｃｏｎを「０」から「１」にし、オン回数Ｃｏｎ（「１」）が閾値Ｃｏｎｔｈ（「２」）より小さいと判断し、第２電源線Ｌ２が断線していないことを検知する。
【００５０】
そして、リレーＲｅがオフすると、制御部６は、オン回数Ｃｏｎをリセットすることでオン回数Ｃｏｎを「１」から「０」にする。
【００５１】
図５（ｂ）は、第２電源線Ｌ２が断線している場合で、かつ、リレーＲｅがオン、オフを２回繰り返す場合のオン回数Ｃｏｎのタイミングチャートである。なお、オン回数Ｃｏｎの初期値を「０」とする。また、閾値Ｃｏｎｔｈを「２」とする。
【００５２】
まず、リレーＲｅがオンすると、制御部６は、オン回数Ｃｏｎをカウントアップすることでオン回数Ｃｏｎを「０」から「１」にし、オン回数Ｃｏｎ（「１」）が閾値Ｃｏｎｔｈ（「２」）より小さいと判断し、第２電源線Ｌ２が断線していないことを検知する。
【００５３】
次に、リレーＲｅがオフすると、第１電源線Ｌ１及び第２電源線Ｌ２から制御部６に電力が供給されなくなり制御部６が停止するため、オン回数Ｃｏｎがリセットされない。すなわち、オン回数Ｃｏｎが「１」のままである。
【００５４】
そして、リレーＲｅがオンすると、制御部６は、オン回数Ｃｏｎをカウントアップすることでオン回数Ｃｏｎを「１」から「２」にし、オン回数Ｃｏｎ（「２」）が閾値Ｃｏｎｔｈ（「２」）以上であると判断し、第２電源線Ｌ２が断線していることを検知する。
【００５５】
第２電源線Ｌ２が断線していない場合、リレーＲｅがオフしても、第２電源線Ｌ２から電源５を介して制御部６に電力が継続して供給され制御部６が停止しない。そのため、リレーＲｅのオン、オフが繰り返されるとき、オン回数Ｃｏｎ及びオフ回数Ｃｏｆｆをそれぞれカウントアップさせることができ、オン回数Ｃｏｎとオフ回数Ｃｏｆｆとの差Ｃｄが１よりも大きくならない。または、リレーＲｅのオフ時にオン回数Ｃｏｎをリセットさせることができ、オン回数Ｃｏｎが１よりも大きくならない。
【００５６】
一方、第２電源線Ｌ２が断線している場合、リレーＲｅがオフすると、制御部６に電力が供給されなくなり制御部６が停止する。そのため、リレーＲｅのオン、オフが繰り返されるとき、オフ回数Ｃｏｆｆをカウントアップさせることができず、オン回数Ｃｏｎとオフ回数Ｃｏｆｆとの差Ｃｄが１よりも大きくなる。また、リレーＲｅのオフ時にオン回数Ｃｏｎをリセットさせることができず、オン回数Ｃｏｎが１より大きくなる。
【００５７】
このことを利用して、実施形態の電池パック１では、オン回数Ｃｏｎとオフ回数Ｃｏｆｆとの差Ｃｄが閾値Ｃｄｔｈ（２以上の値）以上である場合、または、オン回数Ｃｏｎが閾値Ｃｏｎｔｈ（２以上の値）以上である場合、第２電源線Ｌ２が断線していることを検知している。すなわち、実施形態の電池パック１は、第２電源線Ｌ２が断線していることを検知することができる。これにより、第２電源線Ｌ２が断線している旨をユーザに知らせて第２電源線Ｌ２の修理を促すことができる。
【００５８】
また、実施形態の電池パック１では、第２電源線Ｌ２の断線を検知するための機能を制御部６に設ける構成であるため、第２電源線Ｌ２の断線を検知するための機能を制御部６以外の制御部に設ける場合に比べて、製造コストを低減することができる。
【００５９】
また、本発明は、以上の実施の形態に限定されるものでなく、本発明の要旨を逸脱しない範囲内で種々の改良、変更が可能である。
【符号の説明】
【００６０】
１  電池パック
２  監視部
３  電池ＥＣＵ
４  不揮発性メモリ
５  電源
６  制御部
７  レギュレータ
Ｖｅ  車両
Ｌｏ  負荷
Ｂｍ  メインバッテリ
Ｂａｍ  補機バッテリ
Ｒｅ  リレー
Ｌ１  第１電源線
Ｌ２  第２電源線
【図１】
2020112377.tif 000003
【図２】
2020112377.tif 000004
【図３】
2020112377.tif 000005
【図４】
2020112377.tif 000006
【図５】
2020112377.tif 000007